(57)【要約】方法は、ＥＭ放射の少なくとも第１波長及び第２波長をカバーする、ある帯域の電磁（ＥＭ）放射を試料に向けて放出することを含み得る。本方法は、第１波長のＥＭ放射を受信するよう構成された第１レシーバにおいて、ＥＭ放射が試料と相互作用した後のＥＭ放射に対する応答を受信することと、第２波長のＥＭ放射を受信するよう構成された第２レシーバにおいて、ＥＭ放射が試料と相互作用した後のＥＭ放射に対する応答を受信することも含み得る。本方法は、第１レシーバにおいて受信された応答を表す第１信号、及び第２レシーバにおいて受信された応答を表す第２信号の組合せから複数のマーカーを抽出することも含み得て、複数のマーカーを抽出するために、抽出することは、第１信号及び第２信号を複製及び混合することを含む。
2021511116.tif 000002
【特許請求の範囲】
【請求項１】
ある帯域の電磁（ＥＭ）放射を試料に向けて放出することであって、前記帯域は、ＥＭ放射の少なくとも第１波長及び第２波長をカバーする、放出することと、
前記第１波長のＥＭ放射を受信し、前記第２波長のＥＭ放射を除外するよう構成された第１レシーバにおいて、前記ＥＭ放射が前記試料と相互作用した後の前記ＥＭ放射に対する応答を受信することと、
前記第２波長のＥＭ放射を受信し、前記第１波長のＥＭ放射を除外するよう構成された第２レシーバにおいて、前記ＥＭ放射が前記試料と相互作用した後の前記ＥＭ放射に対する応答を受信することと、
前記第１レシーバにおいて受信された応答を表す第１信号、及び前記第２レシーバにおいて受信された応答を表す第２信号の組合せから複数のマーカーを抽出することであって、前記複数のマーカーを抽出するために、前記抽出することは、前記第１信号及び前記第２信号を複製及び混合することを含む、複数のマーカーを抽出することと、
を含む方法。
【請求項２】
前記ＥＭ放射が前記試料と相互作用した後の前記ＥＭ放射に対する前記応答を増幅することによって、前記第１レシーバ及び前記第２レシーバが前記応答の増幅を受け取るようにすることをさらに含む
請求項１に記載の方法。
【請求項３】
前記試料は、in vivo又はin vitroであるヒトの細胞又はヒトの体液のうちの少なくとも１つを含む
請求項１に記載の方法。
【請求項４】
前記マーカーは、少なくとも２つの対象化合物の存在又は不存在を示す
請求項１に記載の方法。
【請求項５】
前記マーカーは、ヘモグロビンの濃度、脱酸素化ヘモグロビンの濃度、ビリルビンの濃度、カロチンの濃度、ユーメラニンの濃度、皮膚の蒼白、皮膚色素沈着、ホルモン、プロテオーム、一次代謝産物、分子コンジュゲート、タンパク質バイオマーカー、タンパク質フラグメント、有機汚染物質、無機汚染物質、内因性イオン、重金属、及び遺伝子のうちの少なくとも２つを示す
請求項１に記載の方法。
【請求項６】
前記第１信号及び前記第２信号を処理装置に無線で送信することによって、前記抽出を実行することをさらに含む
請求項１に記載の方法。
【請求項７】
前記放出すること、前記受信すること、及び前記抽出することを反復して実行することによって、複数のマーカーを連続的にモニタすることをさらに含む
請求項１に記載の方法。
【請求項８】
前記複製及び混合は、
前記第１信号及び前記第２信号のそれぞれを複数回、複製すること、及び
それぞれのミキサユニットについて、前記複製された信号を前記混合のための入力信号として利用すること
を含み、前記混合は、混合関数fj
fj(x1, x2, . . . , xp)=a1x1b1+a2x2b2+ . . . +apxpbp
を利用し、ここでxiは、ｉ番目の入力信号に対応し、ai及びbiは、ｉ番目の入力信号に対応するパラメータであり、fjは、ｊ番目に抽出されたマーカーに対応する
請求項１に記載の方法。
【請求項９】
前記複数のマーカーを、既知のセットのマーカー群と比較することによって、試料の状態を予測することをさらに含む
請求項１に記載の方法。
【請求項１０】
ある帯域の放射を試料に向けて放出するよう構成されたエミッタであって、前記帯域は、電磁（ＥＭ）放射の第１波長及びＥＭ放射の第２波長の両方を含む、エミッタと、
前記ＥＭ放射の前記第１波長が前記試料と相互作用した後のＥＭ放射の前記第１波長に対する応答を受信するよう構成された第１レシーバと、
前記ＥＭ放射の前記第２波長が前記試料と相互作用した後のＥＭ放射の前記第２波長に対する応答を受信するよう構成された第２レシーバと、
前記第１レシーバにおいて受信された応答を表す第１信号、及び前記第２レシーバにおいて受信された応答を表す第２信号の組合せから複数のマーカーを抽出するよう構成された信号ミキサユニットであって、複数のマーカーを抽出するために、前記抽出することは、前記第１信号及び前記第２信号を複製及び混合することを含む、信号ミキサユニットと、
を備えるシステム。
【請求項１１】
前記システムは、ウェラブルかつモバイルなデバイスとして構成される
請求項１０に記載のシステム。
【請求項１２】
前記システムは、少なくとも前記エミッタ及び前記信号ミキサユニットに電力を供給する再充電可能な電池を含む
請求項１０に記載のシステム。
【請求項１３】
前記信号ミキサユニットは、電子、光、又は化学サブシステムを介して実現されたアナログ又はデジタル処理デバイスのうちの１つを含む
請求項１０に記載のシステム。
【請求項１４】
少なくとも１つの追加のエミッタをさらに備え、前記エミッタ及び前記少なくとも１つの追加のエミッタは、前記第１レシーバ及び前記第２レシーバが配置されている領域を囲む外側領域に配置される
請求項１０に記載のシステム。
【請求項１５】
前記ＥＭ放射が前記試料と相互作用した後の、かつ第１応答が前記第１レシーバにおいて受信される前の、かつ第２応答が前記第２レシーバにおいて受信される前の、前記ＥＭ放射に対する前記第１応答及び前記第２応答を増幅するよう構成された増幅装置をさらに備える
請求項１０に記載のシステム。
【請求項１６】
前記増幅装置は、前記ＥＭ放射が前記試料と相互作用する前に、前記ＥＭ放射を増幅するようさらに構成された
請求項１５に記載のシステム。
【請求項１７】
前記システムは、前記試料に向かう放射の前記帯域の初期放出から１１分以内に前記マーカーを抽出するよう構成された
請求項１５に記載のシステム。
【請求項１８】
前記複数のマーカーを既知のマーカー群のセットと比較することによって、前記試料の状態を確定するよう構成された比較装置と、
前記試料の前記状態に基づいてアラームを生成するよう構成されたアラーム装置と、をさらに備える
請求項１０に記載のシステム。
【請求項１９】
プロセッサによって実行された時に、システムに１つ以上の操作を実行させるよう構成された命令を含む非一時的コンピュータ読み取り可能媒体であって、前記操作は、
ある帯域の電磁（ＥＭ）放射を試料に向けて放出するようエミッタに命令することであって、前記帯域は、ＥＭ放射の第１波長及び第２波長を含む、命令することと、
前記第１波長のＥＭ放射を受信し、前記第２波長のＥＭ放射を除外するよう構成された第１レシーバを介して、前記ＥＭ放射が前記試料と相互作用した後の前記ＥＭ放射に対する応答を受信することと、
前記第２波長のＥＭ放射を受信し、前記第１波長のＥＭ放射を除外するよう構成された第２レシーバを介して、前記ＥＭ放射が前記試料と相互作用した後の前記ＥＭ放射に対する応答を受信することと、
前記第１レシーバにおいて受信された応答を表す第１信号、及び前記第２レシーバにおいて受信された応答を表す第２信号の組合せから複数のマーカーを抽出することであって、前記複数のマーカーを抽出するために、前記抽出することは、前記第１信号及び前記第２信号を複製及び混合することを含む、複数のマーカーを抽出することと
を含むコンピュータ読み取り可能媒体。
【請求項２０】
前記複製及び混合は、
前記第１信号及び前記第２信号のそれぞれを複数回、複製すること、及び
それぞれのミキサユニットについて、前記複製された信号を前記混合のための入力信号として利用すること
を含み、前記混合は、混合関数fj
fj(x1, x2, . . . , xp)=a1x1b1+a2x2b2+ . . . +apxpbp
を利用し、ここでxiは、ｉ番目の入力信号に対応し、ai及びbiは、ｉ番目の入力信号に対応するパラメータであり、fjは、ｊ番目に抽出されたマーカーに対応する
請求項１９に記載のコンピュータ読み取り可能媒体。
【発明の詳細な説明】
【技術分野】
【０００１】
本開示は、電磁（electromagnetic、ＥＭ）波放出に基づく試料分析におおまかには関する。例えば、そのような分析は、体液、溶液、分析物、生体内の細胞、生体外の試料、又は他のそのような試料に対して実行され得る。
【背景技術】
【０００２】
人間の眼は、ＥＭスペクトラムの可視波長範囲を観察することが可能であるが、これは、ＥＭスペクトラム全体のうちの非常に狭い部分である。もし太陽のような広帯域な「白色」光源が物体を照射するなら、その物体は、可視波長に加えて他の波長を放出する（remit）。物体によって放出されたスペクトラムのある種の特性を測定することによって、その物体の固有の特性についての手がかりが得られる。
【０００３】
本開示でクレームされている主題は、なんらかの欠点を解決する、又は上述のもののような環境でのみ動作する実施形態には限定されない。むしろ、本背景技術は、本開示で説明されるいくつかの実施形態が実施され得る、ある例示的技術分野を示すために提供されているに過ぎない。
【発明の概要】
【課題を解決するための手段】
【０００４】
１つ以上の実施形態は、ある帯域の電磁（ＥＭ）放射を試料に向けて放出することを含み得る方法を含み得て、前記帯域は、ＥＭ放射の少なくとも第１波長及び第２波長をカバーする。この方法は、前記第１波長のＥＭ放射を受信し、前記第２波長のＥＭ放射を除外するよう構成された第１レシーバにおいて、前記ＥＭ放射が前記試料と相互作用した後の前記ＥＭ放射に対する応答を受信することと、前記第２波長のＥＭ放射を受信し、前記第１波長のＥＭ放射を除外するよう構成された第２レシーバにおいて、前記ＥＭ放射が前記試料と相互作用した後の前記ＥＭ放射に対する応答を受信することも含み得る。この方法は、前記第１レシーバにおいて受信された応答を表す第１信号、及び前記第２レシーバにおいて受信された応答を表す第２信号の組合せから複数のマーカーを抽出することも含み得て、前記複数のマーカーを抽出するために、前記抽出することは、前記第１信号及び前記第２信号を複製及び混合することを含む。
【０００５】
１つ以上の実施形態は、ある帯域の放射を試料に向けて放出するよう構成されたエミッタを含むシステムを含み得て、前記帯域は、電磁（ＥＭ）放射の第１波長及びＥＭ放射の第２波長の両方を含む。このシステムは、前記ＥＭ放射の前記第１波長が前記試料と相互作用した後のＥＭ放射の前記第１波長に対する応答を受信するよう構成された第１レシーバと、前記ＥＭ放射の前記第２波長が前記試料と相互作用した後のＥＭ放射の前記第２波長に対する応答を受信するよう構成された第２レシーバも含み得る。このシステムは、追加として、前記第１レシーバにおいて受信された応答を表す第１信号、及び前記第２レシーバにおいて受信された応答を表す第２信号の組合せから複数のマーカーを抽出するよう構成された信号ミキサユニットも含み得て、複数のマーカーを抽出するために、前記抽出することは、前記第１信号及び前記第２信号を複製及び混合することを含む。
【０００６】
本開示の１つ以上の実施形態は、プロセッサによって実行された時に、システムに１つ以上の操作を実行させるよう構成された命令を含む非一時的コンピュータ読み取り可能媒体を含み得る。前記操作は、ある帯域の電磁（ＥＭ）放射を試料に向けて放出するようエミッタに命令することを含み得て、前記帯域は、ＥＭ放射の第１波長及び第２波長を含む。この操作は、前記第１波長のＥＭ放射を受信し、前記第２波長のＥＭ放射を除外するよう構成された第１レシーバを介して、前記ＥＭ放射が前記試料と相互作用した後の前記ＥＭ放射に対する応答を受信することと、前記第２波長のＥＭ放射を受信し、前記第１波長のＥＭ放射を除外するよう構成された第２レシーバを介して、前記ＥＭ放射が前記試料と相互作用した後の前記ＥＭ放射に対する応答を受信することも含み得る。この操作は、追加として、前記第１レシーバにおいて受信された応答を表す第１信号、及び前記第２レシーバにおいて受信された応答を表す第２信号の組合せから複数のマーカーを抽出することを含み得て、前記複数のマーカーを抽出するために、前記抽出することは、前記第１信号及び前記第２信号を複製及び混合することを含む。
【０００７】
実施形態の目的及び優位性は、特に特許請求の範囲で規定された要素、特徴、及び組合せに少なくともよって実現され達成されるだろう。
【０００８】
前述の一般的な記載及び以下の詳細な説明は、いずれも単なる例示及び説明に過ぎず、請求されている本発明を限定するものではないことが理解されよう。
【図面の簡単な説明】
【０００９】
例示的実施形態は、添付の図面の使用を通じて、さらなる具体性及び詳細さで記載され説明される。
【図１】図１は、試料を画像化及び／又は分析する例示的システムを図示する。
【図２】図２は、試料を画像化及び／又は分析を促進するエミッタ及びレシーバのある例示的構成を図示する。
【図３】図３は、試料と相互作用した後の受信されたＥＭ放射に対して動作し得る信号ミキサ装置の例を図示する。
【図４】図４は、放出されたＥＭ波形に対して動作し得る信号ミキサ装置の例を図示する。
【図５】図５は、試料を画像化及び／又は分析する別の例示的システムを図示する。
【図６】図６は、試料を画像化及び／又は分析するさらなる例示的システムを図示する。
【図７】図７は、試料を画像化及び／又は分析する例示的方法のフロー図を図示する。
【図８】図８は、例示的コンピューティングシステムを図示する。
【発明を実施するための形態】
【００１０】
適切に試料の状態を特定するためには、組み合わせられて、その状態を信頼性高くかつ安定して表現できる、ある種のマーカー群が特定され、モニタされる必要がある。多くの場合、分析されている試料中に固有の自然発生的バラツキのせいで、個別のマーカーは、受信された信号内でノイズで汚染され得て、分析されている試料の状態についての直接的な相関関係を推測することはできない。
【００１１】
マルチバンドパスセンシングに用いられるマルチスペクトル（ＭＳ）又はハイパースペクトルイメージングのようないくつかのアプローチが存在する。イメージングの場合、一つのアプローチは、多色カメラを用いてキャプチャされた色画像を、赤、緑、及び青（ＲＧＢ）のチャンネルに分解することである。このアプローチは、可視スペクトルを３つの独立したスペクトルバンドに細分化する。このようなアプローチにおいては、スペクトルバンドは、画像化に用いられる多色センサのスペクトル応答に高度に依存しており、異なる製造者による異なるセンサの間でばらつくことになる。このアプローチは、視野（field-of-view、ＦＯＶ）内のターゲットの放射測定の表現としては非常に正確であるとはいえないが、その理由は、多色センサは、典型的にはベイヤーフィルタを用いて３つのチャンネルＲＧＢの情報を獲得し、与えられたセンサ画素における欠けているスペクトル情報を、必ずしも類似のスペクトル情報を含まない、その隣接する画素を用いて内挿するからである。
【００１２】
マルチスペクトルイメージングのもう一つの代替のアプローチは、単色カメラと組み合わせられた一連のスペクトルバンドパスフィルタ群を採用する。これらフィルタ群は、対象となる波長範囲を正確に伝送する一方で、他の波長は全て抑圧する。これらフィルタ群は、モータ駆動されたフィルタホイール、液晶チューナブルフィルタ、又は音響光学的チューナブルフィルタのようなアプローチを用いて、カメラに入る光のパス内に配置され得る。他の代替のアプローチは、特定の波長範囲の光をターゲットに照射する一連の光源を用いる。この代替のアプローチでは、放出された光（remitted light）は、単色カメラで捕捉される。
【００１３】
いくつかのアプローチは、それぞれのスペクトル領域がそれ自身のそれぞれのカメラシステムで画像化され得るように、さまざまなビームスプリッタ構成を用いて、マルチスペクトルイメージングのための同時イメージングを実行する。いくつかのアプローチは、可視及び近赤外（near-Infrared、ＮＩＲ）スペクトル範囲のような非常に限定されたスペクトルバンドにおけるイメージングを実行するのに限られたハンドヘルドＭＳイメージャーを用いる。しかし、これらシステムは、可視スペクトル範囲において又はＮＩＲスペクトル範囲においてだけしか動作せず、典型的にはかさばり、大きい。他のＭＳベースのイメージングアプローチは、光源群又はセンサフィルタ群のいずれかの個別のＥＭスペクトルに制限され、したがってアクセスされ、処理され、かつ抽出され得るデータ点の個数において制限される。
【００１４】
加えて、そのようなアプローチは、大きなイメージングセンサ又は３色光検出器を用いて、測色法を実行する。そのようなアプローチは、正確性において制限があるが、それは、それらアプローチが、１つの広帯域ソース又はいくつかの狭帯域ソースから読み出すのに三原色だけしか使わないからである。他の状況においては、それぞれのシグネチャ応答（signature response）を連続して読み出すためには、狭帯域を持つ１つ又はいくつかのフィルタだけしか用いられない。加えて、おり大きな実現例の大きさ及び個別要素のせいで、そのようなアプローチは、適用において制限され、時間的に離散した制限された点でしか測定値が得られない。加えて、ある応用例及び条件では、応答の有用なコースを特定し、それに追従するためには、ある種のマーカーの連続的なモニタリングが有益であり、意義があるかもしれない。加えて、複数の変数を同時に瞬時的に測定することは、そのような変数をある種の生理学的な状態と相関付けるためには、価値があるかもしれない。加えて、複数の相互に関係したマーカーの分析は、従来の分析技術を用いると同時に利用不可能になるかもしれない。本開示は、複数の相互に関係したマーカーを同時に分析することを促進し得るシステム及び方法を提供し得る。
【００１５】
本開示は、試料をさまざまな波長のＥＭ放射に曝露させ、分析のために試料と相互作用をするＥＭ放射に対する応答を分析する方法及びシステムに関する。初期ＥＭ放射及び／又は試料と相互作用した後のＥＭ放射に対する受信された応答を表す信号は、複製する及び／又は混合する装置に提供されて、信号からマーカーを抽出し得る。マーカーは、マーカー群の既知のセットと比較されて、試料の状態を決定し得る。例えば、ユーザは、肌の組織をＥＭ放射に曝露させ、そのような分析に基づいてユーザの生理学的状態を決定する装置を身に付け得る。他の例として、ユーザは、ユーザの健康状態を決定するために、少量の血液又は尿のような体液に接触させてこの装置を使用し得る。
【００１６】
本開示の実施形態は、そのような従来のアプローチを改善する。そのような実施形態は、添付の図面を参照して説明される。
【００１７】
図１は、本開示の１つ以上の実施形態による、試料の画像化及び／又は分析に関する例示的システム１００を示す。システム１００は、１つ以上のエミッタ１１０（エミッタ１１０ａ及び１１０ｎのような）、１つ以上のレシーバ１２０（レシーバ１２０ａ、１２０ｂ、及び１２０ｎのような）、及び信号ミキサユニット１５０を含み得る。エミッタ１１０は、ＥＭ放射１１５を分析されるべき試料１３０に向けて放出し得て、レシーバ１２０は、試料１３０と相互作用するＥＭ放射に基づいた、ＥＭ放射に対する応答１１７を受信し得る。１つ以上の増幅デバイス１４０及び／又は１４２は、試料１３０との相互作用の前のＥＭ放射１１５を増幅し得て、及び／又は試料１３０との相互作用の後の、ＥＭ放射に対する応答１１７を増幅し得る。信号ミキサユニット１５０は、ＥＭ放射相互作用に基づいて及び／又はエミッタ１１０によって放出されたＥＭ波形の信号に基づいて、レシーバ１２０によって生成された信号に対する処理を実行し得る。信号ミキサユニット１５０は、受信された信号からマーカーを抽出する混合及び複製装置１５２、及び／又は、混合及び複製装置１５２によって抽出されたマーカーを、マーカーの既知のセットと比較する比較装置１５４を含み得る。
【００１８】
エミッタ１１０は、ある帯域のＥＭ放射を放出するよう構成された任意のシステム、装置、又は要素を含み得る。ＥＭ放射のこの帯域は、ラジオ波、マイクロ波、赤外（ＩＲ）波、可視光、紫外（ＵＶ）光、Ｘ線、ガンマ線、テラヘルツ波等のようなＥＭ放射の任意の範囲を含み得る。ある実施形態では、エミッタ１１０は、複数のエミッタ群を含み得て、この場合、異なるエミッタ１１０は、異なる波長で放射を放出するよう構成され、その放射を放出するよう独立して励起され得る。追加として又は代替として、エミッタ１１０は、チューナブルであるか、又はそうでなければ、単一のエミッタ１１０が異なる時刻において（又は同じ時刻において）複数の異なる波長を放出するよう構成され得るよう調節可能であり得る。
【００１９】
ある実施形態では、エミッタ１１０は、時間インターリーブされた独立した帯域制限されたＥＭ放射のソース、及び／又は延長された帯域濾過ソースを含み得る。例えば、もし３つのエミッタがＥＭ放射の３つの別個の帯域を備えて利用されるなら、これらエミッタは、ＥＭ放射のそれぞれの帯域で利用されるように電源が順次、オンにされ得て、ターゲット応答は、レシーバ１２０によって検出される。追加として又は代替として、エミッタ１１０は、３つの帯域のＥＭ放射を同時に放出するよう、同じ時刻において電源がオンにされ得る。これら及び他の実施形態において、エミッタ１１０の組合せは、試料１３０と相互作用する予期された励起ＥＭ放射を提供し得る。予期されたＥＭ放射は、
S(f)=S0(f0)+S1(f1)+ . . . +Sk(fk)
によって表現され得て、ここでそれぞれの放出された界Si(fj)は、特定の帯域通過領域を有する周波数fjにおけるｉ番目の放出源から発するＥＭ界を表現し得る。ある実施形態では、エミッタ１１０は、試料１３０と相互作用を行い、応答を散乱させて戻ってきたものがレシーバ１２０で受信されるのに十分な出力を有し得る。ある実施形態では、エミッタ１１０は、トップハット、ベッセル、ガウシアン等のような任意の形態の空間的放射を提供し得る。
【００２０】
レシーバ１２０は、ＥＭ放射を検出し、入射する放射を、検出されたＥＭ放射を表す読み出し可能な信号に変換するよう構成された任意のシステム、装置、又は要素を含み得る。ある実施形態では、レシーバ１２０は、複数のレシーバ１２０を含み得て、ここで、それぞれのレシーバは、ＥＭ放射の異なる波長群を受信するよう構成される（例えば狭帯域レシーバ）。追加として又は代替として、単一のレシーバは、複数の波長において放射を検出するよう構成され得る（例えば広帯域レシーバ）。ある実施形態では、１つ以上のレシーバ１２０は、レシーバによって受信されたＥＭ放射の全ての波長ではなく、レシーバ１２０によって検出された信号が特定の帯域の波長を表すように、フィルタ又は他の機構を利用し得る。そのようなフィルタは、周波数可変であってもよく又は固定フィルタであってもよい。
【００２１】
ある実施形態では、レシーバ１２０によって検出されたＥＭ放射は、
D(f)=D0(f0)+D1(f1)+ . . . +Dl(fl)
によって表され得て、ここでターゲット位置Di(fj)は、周波数fjにおいてｉ番目のレシーバによって検出されたＥＭ界を表し得る。
【００２２】
ある実施形態では、レシーバ１２０は、電荷結合素子（ＣＣＤ）、相補的金属酸化物半導体（ＣＭＯＳ）画素、又はフォトダイオードを持つイメージングセンサを含み得る。ある実施形態では、レシーバ１２０は、検出される放射にわたって帯域通過を提供するために、個別フィルタを利用し得る。時間インターリーブされたソースに加えて、レシーバ１２０上でのそのようなフィルタの組合せ及び配置は、非スパースな相互作用応答（例えばターゲットのステータスの推定のために用いられる信号）を作るために、信号ミキサユニットに基礎を提供し得る。ある実施形態では、レシーバ１２０は、特定の位置で及び／又は特定の角度でＥＭ信号を受信する任意の形態のアンテナを含み得る。
【００２３】
ある実施形態では、レシーバ１２０の組合せ（例えばレシーバ１２０ａ−１２０ｎ）は、マイクロパターン化され得て（例えば大きさが小さく及び／又はレシーバ１２０の個数が少ないパターンに配置される）、サイズがミリメートル又はセンチメートルのオーダーのような、サイズが１０平方センチメートルよりも小さいような、３平方センチメートルよりも小さいような、又は１平方センチメートルより小さいような、非常に小さいフォームファクタで一緒にパッケージ化され得る。ある実施形態では、フォームファクタは、サイズが１インチ×２インチであり得る。これら及び他の実施形態では、レシーバ１２０の組合せは、ＥＭ放射の波長の複数の帯域において同時に、試料１３０からの応答を受信し得る。例えば、レシーバ１２０の組合せは、特定の帯域通過フィルタを持つフォトダイオードのアレイとして実現され得る。
【００２４】
試料１３０は、画像化及び／又は分析されるべき、任意の材料、組織、体液、アッセイ等を含み得る。試料１３０の一例には、皮膚組織があり、in vivo、in vitro、ex vivo、in situ等のいずれであってもよい。試料１３０の他の例としては、他のヒトの組織がある。試料のさらなる例としては、血液、唾液、汗、尿、粘液、涙、精液、膣分泌液、膣排泄物、母乳、膿、胆汁、羊水、脳脊髄液、胃酸、耳垢（耳あか）等のような体液がある。試料１３０の他の例としては、反応を起こしている化学溶液、毛髪の液体ホモジェネート等のような化学溶液がある。ある実施形態では、試料１３０は、生物の一部であり得る。ある実施形態では、試料１３０は、保存容器又は他の容器の中に入れられた液体であり得る。ある実施形態では、試料１３０は、分析を容易にするために、スライドガラス、ペトリ皿等のような媒体上に配置され得る。
【００２５】
ある実施形態では、システム１００は、１つ以上の増幅装置１４０及び／又は１４２を利用し得る。増幅装置１４０は、ＥＭ放射１１５が試料１３０に到達する前に、ＥＭ放射を増幅するよう構成され得る。増幅装置１４２は、ＥＭ放射が試料１３０と相互作用した後に、ＥＭ放射に対する応答１１７を増幅するよう構成され得る。追加として又は代替として、増幅装置１４２は、ＥＭ放射に対する応答１１７をレシーバ１２０に向けてフォーカス及び／又は局所化させ得る。これらの及び他の実施形態では、増幅装置１４０及び／又は１４２は、レンズ合焦システム、メタマテリアル合焦システム、ナノワイヤ及び／又はナノ構造ベースの合焦システム、水性ベースのナノアンテナ、基板ベースのナノアンテナ、励起レーザーシステム、自然放出及び／又は誘導放出システム等のような、合焦システムの任意の組合せを含み得る。増幅装置１４０及び／又は１４２のうちの１つ又は両方を用いることによって、信号対雑音比（ＳＮＲ）は改善され得る。追加として又は代替として、増幅装置１４０及び／又は１４２があれば、増幅なしでは現実的ではないかもしれないある種のエミッタ１１０も使用できることがある。
【００２６】
信号ミキサユニット１５０は、レシーバ１２０によって検出された信号に対して処理を実行するよう構成された任意のシステム、装置、又は要素を含み得る。ある実施形態では、信号ミキサユニット１５０は、コンピューティングデバイス（図８に示されるコンピューティングデバイスのような）を含み得る。信号ミキサユニット１５０は、受信された信号からマーカーを抽出するための混合及び複製装置１５２、及び／又は比較装置１５４を含み得る。信号ミキサユニット１５０の１つ以上の要素の例は、図３及び／又は図４に示され得る。
【００２７】
ある実施形態では、信号ミキサユニット１５０は、デジタルシグナルプロセシングユニット、フィールドプログラマブルアレイ、オプティカルホログラフィックユニット等のような、集積回路として、ルックアップテーブル機能として、又はさまざまな適応混合回路として実現され得る。信号ミキサユニット１５０の実現は、さまざまな形態をとり得て、特定のアーキテクチャ又はハードウェアに限定されない。信号ミキサユニット１５０の実現は、さまざまな形態を取り得て、特定のアーキテクチャ又はハードウェアには限定されない。
【００２８】
いくつかの実施形態では、混合及び複製装置１５２は、レシーバ１２０の信号を複製及び混合することによって、レシーバ１２０によって検出されたように、時間インターリーブされ得る空間スペクトル応答を生成するよう構成され得る。例えば、空間スペクトル応答は、エミッタ１１０によって放出され、ＥＭ放射の複数のスペクトルバンドにわたって、及びレシーバ群１２０の配置の空間領域にわたって、レシーバ１２０によって検出されたＥＭ放射に対する試料１３０の応答を表す値を含み得る。
【００２９】
いくつかの実施形態では、混合及び複製装置１５２は、レシーバ１２０及び／又はエミッタ１１０に関連するデータ又は信号を利用し得る。例えば、混合及び複製装置１５２は、複製機ユニットのレイヤと、それに続くミキサユニットのレイヤと（これらは任意の個数だけカスケード式に反復され得る）を含み得る。これら及び他の実施形態では、時間インターリーブされたエミッタ１１０の信号、及びレシーバ１２０によって検出された空間的及びスペクトル的にインターリーブされた応答は、複製及び混合されることによって、個別のレシーバ１２０のそれぞれから又はそれらの組合せから、空間スペクトル応答を作り得る。換言すれば、混合及び複製装置１５２は、時間多重化されたエミッタ１１０からの信号及び空間スペクトルレシーバ１２０からの信号の組合せを用いて、試料１３０からの空間スペクトルマトリクス応答を作るように構成され得る。これら及び他の実施形態では、混合及び複製装置１５２の出力は、試料１３０に関連付けられた抽出されたマーカーであり得る。抽出されたマーカーは、試料１３０内のターゲット化学成分、又は試料１３０の生理学的状態、又はなんらかの他のパラメータのような、試料で分析されている対象となる特性に対応し得て、これらの組合せは、試料の状態を示す。
【００３０】
動作中において、混合及び複製装置１５２の複製機ユニットは、入力信号を利用し、それを多数回、複製することによって、出力信号を作り、ミキサユニット群のセットに供給し得る。ミキサユニットは、入力信号群のセットを利用し、混合関数に基づいて混合を実行し、出力信号を作り得る。これら及び他の実施形態では、混合及び複製装置１５２の信号ミキサユニットによって使用される混合関数（ｆ）は、
f(x1, x2, . . . , xp)=a1x1b1+a2x2b2+ . . . +apxpbp
によって表現され得て、ここでai及びbiは、ｉ番目の入力信号に対応するパラメータであり、x1, x2, . . . , xpは、ｉ番目の入力信号を表し得る。
【００３１】
ある実施形態では、混合及び複製装置１５２のパラメータは、所望の応用例に基づいて調整され得る。例えば、もし皮膚を画像化し、皮膚病を分析するのなら、マーカーは、生理学的マーカー、脱酸素化ヘモグロビン濃度、酸素化ヘモグロビン濃度、ビリルビン、カロチン、ユーメラニン、皮膚の蒼白、皮膚色素沈着等のうちの任意のものを含み得て、そのパラメータは、それに従って調整され得る。他の例としては、もし化学アッセイ又は生物流体を画像化するなら、マーカーは、生物学的マーカー、薬剤（例えばＴＨＣ、コカイン、アンフェタミン、ケタミン、エクスタシー、アヘン、アルコール、ニコチン等）の濃度、他の有機及び／又は無機化合物、体液の他の成分、ホルモン、プロテオーム、一次代謝産物、分子コンジュゲート、タンパク質バイオマーカー、タンパク質フラグメント、有機汚染物質、無機汚染物質、内因性イオン、重金属、遺伝子、対象となる小分子等を含み得る。追加として又は代替として、もし生物学的流体を画像化するなら、マーカーは、バクテリア又はウイルスのような感染性病原体の存在又は不存在を含み得る。これら又は他の実施形態では、マーカーは、伝染性病原体のタイプ又はセロタイプを示し得る、ある種の細胞又は細胞の種類、細胞表面マーカー、タンパク質、核酸フラグメント等の存在又は不存在を含み得る。追加として又は代替として、コルチゾールのような自然発生する化合物の存在又は濃度がモニタされ得る。さらなる例としては、ビタミン（例えばビタミンＢ、Ｃ、Ｅ等）及びミネラル（例えば亜鉛、鉄等）のような栄養／健康ベースの化合物の存在がモニタされ得る。
【００３２】
ある実施形態では、混合及び複製装置１５２においてマーカーを抽出した後で、マーカーは、比較装置１５４に提供され得る。比較装置１５４は、１つ以上のマーカーを、１つ以上の既知のセットのマーカーと比較することによって、試料１３０の状態の確定及び／又は予測を促進するよう構成された任意のシステム、装置、回路、又は他の要素を含み得る。例えば、検体内の化合物の既知の濃度、又は既知の条件を持つ細胞試料等が分析され得て、対応するマーカーがルックアップテーブル又は他の記憶媒体内に記憶されることによって、混合及び複製装置１５２からの抽出されたマーカーがそのような以前に知られたセットと比較装置１５４によって比較され得る。これら及び他の実施形態では、比較装置１５４は、ルックアップテーブル機能を持つ集積回路として、デジタル信号処理（ＤＳＰ）ユニット、フィールドプログラマブルゲートアレイ（ＦＰＧＡ）等のようなさまざまな適応性混合回路として、実現され得る。
【００３３】
システム１００は、さまざまな状況の任意のものにおいて動作し得る。例えば、システム１００は、in vitro、in vivo、又はex vivoにかかわらず、体液（血液、唾液、汗等のような）、髪の液体ホモジェネート、化学溶液等を分析するために利用され得る。そのような流体／溶液を分析するにあたって、システム１００は、薬物又はアルコール等の存在を探してモニタし得る。システム１００が、違法薬物、アルコール等がないかをモニタするための装置として動作するとき、システム１００は、例えば、法執行機関による路肩での検問において、酒酔いがないかをモニタし得る。追加の例として、システム１００は、ミッションクリチカルな状況においてストレス又は疲労に関連付けられたある種の化合物がないかをモニタし得る（例えば宇宙飛行士の唾液を分析することによってコルチゾールがないかをモニタする）。他の例として、システム１００は、ユーザの健康を確定するために、皮下生理学的マーカーの分析のような、ユーザの皮膚を分析するのに利用され得る。他の例として、システム１００は、ホルモンレベル及び／又はある種のターゲットの存在又は不存在についてモニタするために、血液の一滴を分析するよう利用され得る。
【００３４】
ユーザの皮膚を分析するにあたり、ある種の利点が得られるかもしれない。例えば、皮膚の色は、患者の全体的な健康を反映するかもしれず、皮膚の損傷、創傷の治癒、心臓血管系疾患、栄養不足等を評価するのに有用なツールになるかもしれない。皮膚の色を分析するときに、蒼白さは、ユーザが貧血であるあるかどうかを示し得て、チアノーゼは、血中酸素減少の徴候であり得て、皮膚の赤みの程度及び範囲は、心臓血管の不全を示し得る。
【００３５】
皮膚の色の変化を理解することは、圧迫潰瘍、生理学的変化等を検出及び段階分けするのに有益であり得る。しかし、蒼白さ、チアノーゼ、及び赤みとしてのそのような色の変化の正確な性質は、ユーザのふだんの皮膚の色によって変化するので、臨床的な要求にかなう看護を提供することが困難になり得る。例えば、多くのスキンケアガイドラインは、白い肌のユーザに主に適用されるので、適用不可能であり、異なる民族的背景及び皮膚の色の個々人について皮膚の色の変化を検出することは、難しくなり得る。そのようなコンテキストにおいては、異なる背景の色素における皮膚の色の変化の検出は、システム１００を用いれば有益であり得る。
【００３６】
この点で、構成的皮膚色は、自然な遺伝的に決定された表皮の色であり、紫外（ＵＶ）光又はホルモン曝露によって影響を受けない。典型的には、そのような皮膚色は、上腕の内側のような、太陽光への曝露が少ないか又は全く無い領域で見られる。対照的に、条件的皮膚色は、ＵＶ光及び他の環境要因への曝露から生じる。例えば、日焼けは、皮膚内のメラニンの組成を変え、メラノサイトによって作られるメラニンの量及び大きさを増す。よって条件的皮膚は、構成的皮膚よりも色が濃い。ユーザの肌の色は、メラニン、ヘモグロビン、及びカロチンのようなさまざまな構成的色素の色と混ざった、無色素の皮膚から反射及び吸収された光の結果である。したがって、さまざまな状態及び症状を評価及び予測するために、構成的色素と共に、無色素皮膚の特性の両方を評価することができる。
【００３７】
追加として、紅斑のような他の症状は、肌が黒い患者では検出するのが困難であり得る。肌が白い患者では、炎症は赤みを生じ得る。しかし肌が黒い人では、それは、色素過剰（増加された色素）又は低色素沈着（減少された色素沈着）を生じ得るが、赤みは見られない。したがって、本開示の実施形態によって提供されるような、皮膚の安定した継続的なモニタリングは、肌が白い患者でも黒い患者でも有益であるようなやり方で、ユーザの体内での、及び測定がなされる領域内での生理学的変化を検出するのに有益であり得る。
【００３８】
これら及び他の実施形態では、本開示による分析は、ユーザの皮膚が蒼白さ、皮膚色の変化等がないかがモニタされ得るように、リアルタイムで起こり得て、連続的であり得る。例えば、システム１００は、ユーザの手首に、ユーザの腕の周りに等に付けるウェラブルデバイスとして実現され得る。これら及び他の実施形態では、システム１００は、皮膚を分析することによって、ユーザのさまざまな局面を非侵襲的にモニタ及び／又は分析し得る。
【００３９】
ある実施形態では、システム１００は、速いタイムフレームで画像化及び／又は分析を実行し得る。例えば、システム１００は、限られたタイムフレームの中で、試料を獲得し、放射の帯域を放出し、かつマーカーを抽出し得る。限られたタイムフレームは、概算で、１５分よりも短い、１１分よりも短い、８分よりも短い、３分よりも短い、１分よりも短い、又は３０秒よりも短いものを含み得る。ある実施形態では、信号ミキサユニット１５０内のカスケードの反復の個数は、マーカーのより速い分析及び／又は抽出を促進するために、限定され得る。
【００４０】
ある実施形態では、システム１００は、ウェラブルデバイス及び／又は携帯デバイスとして実現されるような、非常に小さいフォームファクタで実現され得る。ある実施形態では、システム１００は、１５ポンド未満、１０ポンド未満、８ポンド未満、５ポンド未満、又は１ポンド未満の重さであり得る。これら及び他の実施形態では、システム１００は、システム１００がモニタするよう意図される１つ以上のマーカーの連続的なモニタリングのために用いられ得る。例えば、測定ユニットは、ターゲット試料の連続的なモニタリングのためにin-situで配置され得る（化学反応の間に、試薬の減少又は生成物の出現がないかを連続的にモニタするために、システム１００を反応容器内に配置することによるような）。これら及び他の実施形態では、連続的なモニタリングは、さまざまな生理学的パラメータ及び／又は現象のリアルタイムでの分析を促進し得る。追加として又は代替として、一時的であり得る又は時間の経過で変化し得るイベント又は状態は、そのイベント又は状態の時間分解能分析（time-resolution analysis）を生成することを含み、モニタ及び分析され得る。
【００４１】
これら及び他の実施形態では、エミッタ１１０、レシーバ１２０、増幅装置１４０及び／又は１４２のある種の変化形、及び／又は信号ミキサユニット１５０の総体は、現場での使用及び／又はユニットのモニタリングのために、再充電可能な電源（電池のような）を用いて、単一の、携帯可能な（例えば路肩での検問のために）及び／又はウェラブルな（例えば手首の周りに装着）フォームファクタで集積され得る。放出されたＥＭ放射１１５の試料１３０との相互作用の後で、散乱されたＥＭ放射１１７の応答は、レシーバ１２０によって検出され得る。レシーバ１２０によって生成された信号は、それぞれのマーカーを抽出するために信号ミキサユニット１５０に供給され得る。信号ミキサユニット１５０は、フィールドプログラマブルゲートアレイ、デジタルシグナルプロセシングユニット、任意の汎用化された中央処理ユニット又は光／ＲＦ波長分割多重化（wavelength division multiplexing、ＷＤＭ）ユニットのうちの任意の形態のような多くの実現例を有し得る。
【００４２】
ある実施形態では、システム１００は、皮膚及び／又は体液の中に現れるマーカーを用いて異常を検出する目的で、生産者消費者、消費者、及び／又はリスクのある人々によって用いられ得る。ある実施形態では、この装置は、皮膚の色素を連続的にモニタすることによって、皮膚炎症性疾患、コレステロール塞栓症（既知のアテローム性動脈硬化疾患及び腎不全の典型的な病歴を持つ患者において疑いが高い）、腹部痛、網状皮斑等がないかを測定及びモニタするために用いられ得る。他の場合としては、これらに限定されないが、糖尿病、脂肪肝、及びいくつかのがんと共に、メタボリック症候群（冠状動脈心疾患のリスクファクターである）、機械心臓弁障害及び他の心血管障害等を持つ患者の蒼白さレベルを検出することが含まれる。これら及び他の実施形態では、システム１００は、ホルモンレベル、内臓又は細胞の疾病又は機能障害、寄生虫の存在又は不存在、バクテリア又はウイルス等を、媒介する体液を通してモニタするために用いられ得る。
【００４３】
ある実施形態では、マーカーを抽出した後、及び／又は試料１３０の状態を確定した後に、システム１００は、状態及び／又はマーカーを、ユーザの電子デバイス（不図示）、医療従事者の電子デバイス（不図示）等のような他の装置に通信し得る。これら及び他の実施形態では、状態及び／又はマーカーは、スレッショルド又は他のモニタされた値と比較され得て、当該スレッショルドを超えたことに基づいて、警報又はアラームをトリガし得る。警報又はアラームは、ユーザに視覚的に（例えば照射される光又はスクリーン上の表示）、聴覚的に（例えばチャイム又はサイレンの音）、ソフトウェアを介して（例えばモバイルデバイスアプリケーションのメッセージによって）提示され得る。ある実施形態では、そのような警報又はアラームは、９−１−１に電話をかけること、自動化されたメッセージを医療関係者に発信すること、薬剤を投与すること、医療機器をオンにすること等の緊急対応を発動し得る。
【００４４】
図１に対しては、本開示の範囲から逸脱することなく、改変、追加、又は省略がなされ得る。例えば、システム１００は、図示されたよりもより多い又はより少ない要素を含み得る。
【００４５】
図２は、本開示の１つ以上の実施形態による試料の画像化及び／又は分析を促進するためのエミッタ２１０（エミッタ２１０ａ−２１０ｃのような）及びレシーバ２２０（レシーバ２２０ａ−２２０ｎのような）のある例示的構成２００を示す。
【００４６】
図２に示されるように、ある実施形態では、エミッタ２１０は、ＥＭ放射の第１帯域において放射を放出するよう構成された第１エミッタ２１０ａ、ＥＭ放射の第２帯域において放射を放出するよう構成された第２エミッタ２１０ｂ等を含み得る。これら及び他の実施形態では、レシーバ２２０は、第１波長におけるＥＭ応答を検出するよう構成された第１レシーバ２２０ａ、第２波長における放射を検出するよう構成された第２レシーバ２２０ｂ等を含み得る。さまざまなハッシュマークは、さまざまなエミッタ２１０及び／又はレシーバ２２０が特定のスペクトルの、時間の、及び／又は偏光したシーケンスにおいて、又はこれらの一部又は任意の組合せで動作するよう構成され得ることを図示している。
【００４７】
ある実施形態では、レシーバ２２０は、おおまかには試料と対応し得る中央領域２３０に配置され得る。例えば、試料は、ＥＭ応答が試料から散乱される時に、応答がレシーバ２２０に戻ってくるように導かれるようレシーバ２２０に対して配置され得る。
【００４８】
ある実施形態では、エミッタ２１０は、中央領域２３０の周囲を巡る外側領域２４０内に配置され得る。
【００４９】
ある実施形態が図２に示されるが、エミッタ２１０及びレシーバ２２０の任意の配置が本開示の中で想定されることが理解されよう。例えば、エミッタ２１０及びレシーバ２２０は、互いに散在され得る。他の例として、エミッタ２１０は、中央領域２３０に存在し得て、レシーバ２２０は、外側領域２４０に存在し得る。追加の例として、エミッタ２１０及び／又はレシーバ２２０のより少ない個数及び／又はより多い個数が想定される。
【００５０】
システム２００に対しては、本開示の範囲から逸脱することなく、改変、追加、又は省略がなされ得る。例えば、エミッタ２１０及びレシーバ２２０の構成は、任意の個数であることが想定される。
【００５１】
図３は、本開示の１つ以上の実施形態による、レシーバにおいて受信された、試料と相互作用した後のＥＭ放射に対する応答について動作し得る信号ミキサユニット３００の例を示す。図３に示されるように、信号ミキサユニット３００は、レシーバによって検出された及び／又はエミッタによって放出され試料と相互作用した１つ以上の受信された信号３１０（例えば受信された信号３１０ａ、３１０ｂ、…、３１０ｎ）を入力として受信し得る。信号ミキサユニット３００は、入力信号を複数回数、複製し、それら信号を１つ以上のミキサユニット３３０ａに渡す第１セットの複製機群３２０ａを含む。ミキサユニット群３３０ａの出力は、次のカスケードの複製機群３２０ｂのための入力信号として用いられ得る。複製機３２０ｂの出力は、ミキサユニット３３０ｂのための入力として用いられ得る。複製機３２０及びミキサ３３０のカスケードの３回の反復が図示されているが、複製機３２０及びミキサ３３０の任意の回数の反復（例えば複製機３２０ｎ及びミキサ３３０ｎに至るまで）が本開示の中では想定される。
【００５２】
複製機３２０及びミキサ３３０のカスケードの後で、信号ミキサ装置３００は、一連のスペクトル空間応答群（spectro-spatial responses）３４０ａ−ｎを出力し得る。ある実施形態では、それら出力３４０は、分析されているマーカーに対応し得る。ある実施形態では、スペクトル空間応答３４０の個数は、放出される周波数帯域の個数、レシーバによって選択された周波数帯域の個数、受信された別個の空間信号の個数、レシーバの個数、エミッタの個数、同時に帯域のサブセットにおいて放出するエミッタの組合せセット等に基づき得る。追加として又は代替として、応答３４０の個数は、分析及び／又は考慮されているマーカー又はパラメータの個数に対応し得る。
【００５３】
信号ミキサユニット３００に対しては、本開示の範囲から逸脱することなく、改変、追加、又は省略がなされ得る。例えば、複製機３２０及びミキサ３３０のカスケードの任意の個数の反復が含まれ得る。
【００５４】
図４は、本開示の１つ以上の実施形態によって放出されたＥＭ波形に対して動作し得る信号ミキサ装置４００の例を示す。図４に示されるように、信号ミキサ装置４００は、ＥＭ放射を放出する時にエミッタによって用いられるＥＭ波形（例えば図１のエミッタ１１０によって用いられるＥＭ波形）を入力として受け取り得る。信号ミキサ装置４００は、入力信号を複数回数、複製し、それら信号を１つ以上のミキサユニット４３０ａに渡す第１セットの複製機群４２０ａを含む。ミキサユニット群４３０ａの出力は、次のカスケードの複製機群４２０ｂのための入力信号として用いられ得る。複製機４２０ｂの出力は、ミキサユニット４３０ｂのための入力として用いられ得る。複製機４２０及びミキサ４３０のカスケードの３回の反復が図示されているが、複製機４２０及びミキサ４３０の任意の回数の反復（例えば複製機４２０ｎ及びミキサ４３０ｎに至るまで）が本開示の中では想定される。
【００５５】
複製機４２０及びミキサ４３０のカスケードの後で、信号ミキサ装置４００は、空間的及び／又は時間的に混合された、１セットの波形群４４０（波形４４０ａ−４４０ｎのような）を出力し得る。これら及び他の実施形態では、波形４４０ａ−４４０ｎは、受信されたＥＭ放射を表す信号に対して動作する信号ミキサ装置（例えば図３の信号ミキサ装置３００）によって利用されることで、受信された信号の、放射を放出するのに利用されたＥＭ放射波形との比較を促進し得る。
【００５６】
信号ミキサユニット４００に対しては、本開示の範囲から逸脱することなく、改変、追加、又は省略がなされ得る。例えば、複製機４２０及びミキサ４３０のカスケードの任意の個数の反復が含まれ得る。
【００５７】
図５は、本開示の１つ以上の実施形態によって試料を画像化及び／又は分析する他の例示的システム５００を示す。ある実施形態では、システム５００は、体液、検体、溶液等の化学成分を分析するのに利用され得る。
【００５８】
システム５００は、図１のエミッタ１１０に類似又は相当し得るエミッタ５１０群のセット（エミッタ５１０ａ−５１０ｎのような）を含み得る。システム５００は、図１のレシーバ１２０に類似又は相当し得るレシーバ５２０のセット（レシーバ５２０ａ−５２０ｎのような）を追加として含み得る。エミッタ５１０は、ＥＭ放射５１５を、ＥＭ放射を試料及びレシーバ５２０ｂに向けて戻すように反射し得る、増幅装置５４０に向けて放出し得る。
【００５９】
ある実施形態では、試料は、試料と相互作用する時又は試料と相互作用した後に、ＥＭ放射５１７を収束及び／又は増幅し得る他の増幅装置５４２に近接して配置され得る。例えば、増幅装置５４２は、レンズ又は他の収束装置を、試料（例えば体液又は化学溶液）及びレシーバ５２０の間に含み得る。
【００６０】
図５に示されるように、ある実施形態では、レシーバ５２０及び／又はエミッタ５１０によって生成された信号は、信号ミキサユニット５５０に提供され得る。信号ミキサユニット５５０は、図１の信号ミキサユニット１５０に類似又は相当し得る。信号ミキサユニット５５０は、信号からマーカーを抽出し得る。
【００６１】
ある実施形態では、システム５００は、プリント回路基板（ＰＣＢ）のような電子回路基板５６０上で実現され得る。これら及び他の実施形態では、電気的な接続は、エミッタ５１０及び／又はレシーバ５２０の１つ以上と、信号ミキサユニット５５０との間に電子回路基板５６０を介して存在する。
【００６２】
システム５００に対しては、本開示の範囲から逸脱することなく、改変、追加、又は省略がなされ得る。例えば、システム５００は、信号ミキサユニット５５０と相互作用するためのディスプレイ、インタフェースデバイス等を含み得る。
【００６３】
図６は、本開示の１つ以上の実施形態によって試料を画像化及び／又は分析するための追加の例示的システム６００を示す。システム６００は、分析されるべき試料としてのユーザの皮膚を連続的にモニタするためにウェラブルデバイス（リストバンド、ステッカー等のような）として実現され得る。
【００６４】
システム６００は、図１のエミッタ１１０に類似又は相当し得る１セットのエミッタ群６１０（エミッタ群６１０ａ−６１０ｎのような）を含み得る。システム６００は、図１のレシーバ１２０に類似又は相当し得る１セットのレシーバ群６２０（レシーバ６２０ａ−６２０ｎのような）を追加として含み得る。エミッタ６１０は、ＥＭ放射をレシーバ６２０ｂに向けて戻すユーザの皮膚（例えば当該試料）に向けてＥＭ放射を放出し得る。
【００６５】
図６に示されるように、ある実施形態では、レシーバ６２０及び／又はエミッタ６１０によって生成された信号は、通信装置６７０に提供され得る。この通信装置は、信号をネットワーク６８０を通して信号ミキサユニット６５１へ通信し得る。信号ミキサユニット６５１は、図１の信号ミキサユニット１５０に類似又は相当し得る。信号ミキサユニット６５１は、信号からマーカーを抽出し得る。
【００６６】
ネットワーク６８０は、通信装置６７０及び信号ミキサユニット６５１及び／又はそれに関連付けられた装置の間で通信を提供するよう構成された任意のデバイス、システム、要素、又はこれらの組合せを含み得る。例として、ネットワーク６８０は、そのような通信を可能にする１つ以上のワイドエリアネットワーク（ＷＡＮ）及び／又はローカルエリアネットワーク（ＬＡＮ）を含み得る。ある実施形態では、ネットワーク６８０は、複数のＷＡＮ及び／又はＬＡＮの間の論理的及び物理的接続によって形成されるグローバルインターネットワークを含むインターネットを含み得る。代替として又は追加として、ネットワーク６８０は、これには限定されないが８０２．ｘｘネットワーク、ブルートゥースアクセスポイント、ワイヤレスアクセスポイント、ＩＰベースのネットワーク等のような、１つ以上のセルラーＲＦネットワーク及び／又は１つ以上の有線及び／又は無線ネットワークを含み得る。ネットワーク６８０は、あるタイプのネットワークが他のタイプのネットワークとインタフェースすることを可能にするサーバも含み得る。ある実施形態では、ネットワーク６８０は、ＩＲ通信、ＮＦＣ等のようなデバイスからデバイスへの通信を含み得る。
【００６７】
ある実施形態では、信号ミキサユニット６５１は、試料が分析されているユーザのモバイルデバイス又は他の電子デバイスの一部であり得る。例えば、システム６００は、ユーザの携帯電話又はタブレットを含み得る。これら及び他の実施形態では、システム６００は、通知、アラーム、又は他の警告又は情報をユーザにモバイルデバイスを介して提供し得る。ある実施形態では、信号ミキサユニット６５１は、医療関係者の電子デバイスの一部であり得る。例えば、信号は、その皮膚がモニタされている人を治療する医師又は看護師の電子デバイスに通信され得る。これら及び他の実施形態では、信号ミキサユニット６５１はリモートコンピューティングデバイス内に配置され、アラームをトリガする信号ミキサユニット６５１によって、その分析に基づいて、ユーザ及び／又は医療関係者に通知し得る。
【００６８】
システム６００に対しては、本開示の範囲から逸脱することなく、改変、追加、又は省略がなされ得る。
【００６９】
図７は、本開示の１つ以上の実施形態によって試料を画像化及び／又は分析する例示的方法７００のフロー図を示す。
【００７０】
ブロック７０５において、ある帯域のＥＭ放射が試料に向けて放出され得て、ここで放射のこの帯域は、少なくとも第１波長及び第２波長を含む。例えば、１つ以上のエミッタ（図１のエミッタ１１０、図２のエミッタ２１０、図５の５１０、及び／又は図６の６１０）は、試料に向けてＥＭ放射を放出し得る。
【００７１】
ブロック７１０において、ＥＭ放射は、増幅され得る。例えば、ＥＭ放射は、反射性材料に向けて放出され、ＥＭ放射を試料及び／又はレシーバに向けて導き得る。他の例としてレンズ又は他の収束装置は、試料と相互作用した後にＥＭ放射を増幅し、試料と相互作用した後にレシーバにおいて受信されたＥＭ放射に関連付けられたＳＮＲの増加を促進し得る。
【００７２】
ブロック７１５において、ＥＭ放射に対する応答は、第１波長を受信し、第２波長を除外するよう構成された第１レシーバにおいて受信され得る。例えば、レシーバ（図１のレシーバ１２０、図２の２２０、図５の５２０、及び／又は図６の６２０のような）は、試料によるＥＭ放射に対する応答を受信し得る。第１レシーバにおいて受信された応答は、放出されたＥＭ放射が試料と相互作用した後に受信され得る。
【００７３】
ブロック７２０において、ＥＭ放射に対する応答は、第２波長を受信し、第１波長を除外するよう構成された第２レシーバにおいて受信され得る。第２レシーバにおいて受信されたＥＭ放射は、放出されたＥＭ放射が試料と相互作用した後に、受信され得る。ある実施形態では、第１レシーバ及び第２レシーバにおいて受信されたＥＭ放射は、第１波長及び第２波長をカバーするその帯域のＥＭ放射を放出する同じエミッタから生じたかもしれない。これら及び他の実施形態では、そのような構成は、複数のマーカーの同時分析を促進し、よってマーカー間の相互依存性を説明し得る。
【００７４】
ブロック７２５において、放出されたＥＭ波形の複製及び混合が実行され得る。例えば、エミッタは、ＥＭ放射のその帯域を放出するのに用いられるＥＭ波形を信号ミキサユニット（図１の信号ミキサユニット１５０、図２の２５０、図５の５５０、及び／又は図６の６５１のような）に提供し、放出されたＥＭ波形の複製及び混合を実行し得る。
【００７５】
ブロック７３０において、第１及び第２レシーバにおいて受信された応答の複製及び混合が実行され得る。例えば、信号ミキサユニットは、レシーバによって生成された信号を受信し得て、その信号を混合及び複製し得る。ある実施形態では、レシーバにおいて受信された応答の複製及び混合は、放出されたＥＭ波形に対してブロック７２５で実行された複製及び混合の出力も含み得る。
【００７６】
ブロック７３５において、試料のマーカーが抽出され得る。例えば、ブロック７３０における複製及び混合の出力は、１つ以上のマーカーを含み得る。
【００７７】
ブロック７４０において、マーカーは、マーカーの既知のセットと比較され得る。例えば、マーカーは、それらマーカーを、試料について分析されているパラメータ及び／又はマーカーの既知の状態、症状、濃度等の既知のマーカーと比較するために、テーブルルックアップ操作又はデータベース比較を介して比較され得る。
【００７８】
ブロック７４５において、試料の状態が、ブロック７４０において実行された比較に基づいて確定及び／又は予測され得る。例えば、もし抽出されたマーカーが、既知のセットのマーカーのスレッショルド量、パーセンテージ等の中にあるなら、抽出されたマーカーは、既知のセットのマーカーと同じ状態に対応し得る。そのような確定は、複数のマーカー及び既知のマーカーの複数のセットとのそれらの関係に基づき得る。
【００７９】
ブロック７５０において、試料の状態に基づいてアラームがトリガされ得る。例えば、もしその状態が通常の状態の範囲外にある（例えば皮膚の蒼白さが青白さのスレッショルド量を超えている、探索されているＴＨＣのような化学化合物が発見される等）と確定されるなら、アラームがトリガされ得る。このアラームは、耳に聴こえる警告、照射される光、他の電子デバイスに送られる通信、トリガされる通知又は他のソフトウェアベースのメッセージ等の形態であり得る。
【００８０】
システム７００に対しては、本開示の範囲から逸脱することなく、改変、追加、又は省略がなされ得る。例えば、操作群は、異なる順序で実行されてもよい。他の例として、方法７００の操作群に追加されても、又はそれらに関連して実行されてもよい。追加の例として、操作群が追加されても、省略されても、及び／又は同時に実行されてもよい。他の例として、さまざまな操作群は、単一の動作に組み合わせられてもよく、又は単一の操作が複数の操作群に分割されてもよい。
【００８１】
図８は、本開示で説明された少なくとも１つの実施形態による例示的コンピューティングシステム８００を示す。システム８００は、試料の画像化及び／又は分析を促進するよう構成された任意の適切なシステム、装置、又はデバイスを含み得る。ある実施形態では、システム１００、５００及び／又は６００の任意のもの、及び／又はそれらの部分又は要素は、図８に示されるコンピューティングシステム８００として実現され得る。コンピューティングシステム８００は、プロセッサ８１０、メモリ８２０、データ記憶８３０、及び通信ユニット８４０を含み得て、これらは全て通信可能に結合され得る。データ記憶８３０は、ソフトウェアプロジェクト、ＡＰＩドキュメント、コンピュータソースコード等さまざまなタイプのデータを含み得る。
【００８２】
おおまかには、プロセッサ８１０は、任意の適切な特定目的の又は汎用のコンピュータ、コンピューティングエンティティ、又はさまざまなコンピュータハードウェア又はソフトウェアモジュールを含む処理デバイスを含み得て、任意の適用可能なコンピュータで読み取り可能な記憶媒体上に記憶された命令を実行するよう構成され得る。例えば、プロセッサ８１０は、マイクロプロセッサ、マイクロコントローラ、デジタルシグナルプロセッサ（ＤＳＰ）、特定用途向け集積回路（ＡＳＩＣ）、フィールドプログラマブルゲートアレイ（ＦＰＧＡ）、又はプログラム命令を解釈し、及び／又は実行し、及び／又はデータを処理するよう構成された任意の他のデジタル、アナログ、又は光学回路を含み得る。
【００８３】
図８には単一のプロセッサしか図示されていないが、プロセッサ８１０は、本開示で説明された任意の個数の操作群を単独で又は集合的に実行するよう構成された任意の個数のネットワーク又は物理的位置にわたって分散された任意の個数のプロセッサを含み得ることが理解されよう。ある実施形態では、プロセッサ８１０は、メモリ８２０、データ記憶８３０、又はメモリ８２０及びデータ記憶８３０に記憶されたプログラム命令を解釈及び／又は実行及び／又はメモリ８２０、データ記憶８３０、又はメモリ８２０及びデータ記憶８３０に記憶されたデータを処理し得る。ある実施形態では、プロセッサ８１０は、プログラム命令をデータ記憶８３０からフェッチし、メモリ８２０にプログラム命令をロードし得る。
【００８４】
プログラム命令がメモリ８２０にロードされた後に、プロセッサ８１０は、図７の方法７００の１つ以上の操作を実行する命令のようなプログラム命令を実行し得る。例えば、プロセッサ８１０は、ＥＭ放射の広い帯域の周波数においてＥＭ放射を放出するようエミッタに指示することに関する命令を獲得し、試料との相互作用の後で、特定の周波数における受信されたＥＭ放射を表す、レシーバからの信号を受信し、マーカーを導出するために信号のさまざまな局面又は特徴を再生及び混合することによるような、被検者からマーカーを抽出するためにその信号に対する処理を実行し得る。
【００８５】
メモリ８２０及びデータ記憶８３０は、コンピュータ読み取り可能な記憶媒体又はその上にコンピュータ読み取り可能な命令又はデータ構造を担持する又は有する１つ以上のコンピュータ読み取り可能な記憶媒体を含み得る。そのようなコンピュータ読み取り可能な媒体は、プロセッサ８１０のような汎用又は特定用途のコンピュータによってアクセスされ得る任意の利用可能な媒体であり得る。ある実施形態では、コンピューティングシステム８００は、メモリ８２０及びデータ記憶８３０を含んでもよく、又は含まなくてもよい。
【００８６】
限定ではなく例示として、そのようなコンピュータ読み取り可能な記憶媒体は、ランダムアクセスメモリ（ＲＡＭ）、リードオンリーメモリ（ＲＯＭ）、電気的に消去可能なプログラマブルリードオンリーメモリ（ＥＥＰＲＯＭ）、コンパクトディスクリードオンリーメモリ（ＣＤ−ＲＯＭ）又は他の光学ディスク記憶、磁気ディスク記憶又は他の磁気記憶デバイス、フラッシュメモリデバイス（例えばソリッドステートメモリデバイス）、又はコンピュータ読み取り可能命令又はデータ構造の形態で所望のプログラムコードを担持又は記憶するのに用いられ得て、かつ汎用又は特定用途向けコンピュータによってアクセスされ得る任意の他の記憶媒体を含む非一時的コンピュータ読み取り可能記憶媒体を含み得る。上記の組合せもコンピュータ読み取り可能記憶媒体の範囲には含まれる。コンピュータ実行可能な命令は、例えば、プロセッサ８１０にある種の操作又は操作群のグループを実行させる命令及びデータを含み得る。
【００８７】
通信ユニット８４０は、ネットワークを通して情報を送信又は受信するよう構成された任意の要素、デバイス、システム、又はこれらの組合せを含み得る。ある実施形態では、通信ユニット８４０は、他の場所、同じ場所における他のデバイスと、又は同じシステム内の他の要素とさえ通信し得る。例えば、通信ユニット８４０は、モデム、ネットワークカード（無線又は有線）、光学通信デバイス、赤外通信デバイス、無線通信デバイス（アンテナのような）、及び／又はチップセット（ブルートゥースデバイス、８０２．６デバイス（例えばメトロポリタンエリアネットワーク（ＭＡＮ））、WiFiデバイス、WiMaxデバイス、セルラー通信設備等）、及び／又はその他を含み得る。通信ユニット８４０は、データが、本開示で説明されたネットワーク及び／又は他のデバイス又はシステムとやりとりされることを可能にし得る。例えば、通信ユニット８４０は、システム８００が、コンピューティングデバイス及び／又は他のネットワークのような他のシステムと通信することを可能にし得る。他の例として、通信ユニット８４０は、別の処理デバイスと通信することによって受信された信号に対してマーカーの抽出を実行し得る。
【００８８】
システム８００に対しては、本開示の範囲から逸脱することなく、改変、追加、又は省略がなされ得る。例えば、データ記憶８３０は、複数の場所に位置し、ネットワークを通じてプロセッサ８１０によってアクセスされる複数の異なる記憶媒体であり得る。
【００８９】
上に示したように、本開示で説明した実施形態は、以下でさらに詳述される、さまざまなコンピュータハードウェア又はソフトウェアモジュールを含む特定目的の又は汎用のコンピュータ（例えば図８のプロセッサ８１０）の使用を含み得る。さらに、上述のように、本開示で説明された実施形態は、その上に記憶されたコンピュータ実行可能な命令又はデータ構造を担持する又は有するコンピュータ読み取り可能な媒体（例えば図８のメモリ８２０又はデータ記憶８３０）を用いて実現され得る。
【００９０】
本開示で用いられるように、「モジュール」又は「要素」という語は、コンピューティングシステムの汎用ハードウェア（例えばコンピュータ読み取り可能な媒体、処理デバイス、又はなんらかの他のハードウェア）に記憶され及び／又はそれによって実行され得る、モジュール又は要素及び／又はソフトウェアオブジェクト又はソフトウェアルーチンのアクション及び／又は特定のハードウェアインプリメンテーションを表し得る。ある実施形態では、本開示で説明された異なる要素、モジュール、エンジン、及びサービスは、コンピューティングシステム上で実行するオブジェクト又はプロセスとして（例えば別個のスレッドとして）実現され得る。本開示で説明されたシステム及び方法のうちのいくつかは、ソフトウェアとして実現され得る（汎用ハードウェアによって記憶及び／又は実行される）とおおまかに記載されているが、具体的なハードウェアインプリメンテーション又はソフトウェア及び具体的なハードウェアインプリメンテーションの組合せも可能であり、想定される。この記載で、「コンピューティングエンティティ」は、本開示で前に定義したような任意のコンピューティングシステム、コンピューティングシステム上で走る任意のモジュール又はモジュール群の組合せであり得る。
【００９１】
よくある慣習によれば、図面で示されたさまざまな特徴は、かならずしも縮尺通りに描かれてはいない。本開示で提示された図示は、特定の装置（例えばデバイス、システム等）又は方法の実際の外観であるとは意図されておらず、開示のさまざまな実施形態を記載するために採用された理想化された表現に過ぎない。したがって、さまざまな特徴の寸法は、明瞭さのために、適宜、大きくされたり、小さくされたりしているかもしれない。加えて、図面のいくつかは、明瞭さのために簡略化されているかもしれない。よって、図面は、与えられた装置（例えばデバイス）の要素の全て又は特定の方法の全ての操作を描いていないかもしれない。
【００９２】
本開示で、特に添付の特許請求の範囲（例えば添付の特許請求の範囲の本体）で用いられる語は、一般には「オープンな」語であると意図されている（例えばとりわけ、「含む（including）」という語は、「含むがこれらには限定されない」と解釈されるべきであり、「有する（having）」という語は、「少なくとも有し」と解釈されるべきであり、「含む（includes）」という語は、「含むがこれらには限定されない」と解釈されるべきである）。
【００９３】
追加として、もし導入されたクレームの記載の特定の個数が意図されるなら、そのような意図は、当該クレームで明示的に記載されるはずであり、そのような記載がない以上、そのような意図が存在するものではない。例えば、理解の助けになるよう、以下の添付の特許請求の範囲は、クレーム記載を導入するために「少なくとも１つの」及び「１つ以上の」という導入句の使用を含み得る。
【００９４】
追加として、仮に、導入された特許請求の範囲の記載の具体的な個数が明示的に記載されていたとしても、そのような記載は、少なくとも記載された個数を意味すると解釈されるべきであると当業者であれば理解できよう（例えば「２個の記載」という他の修飾語がない、裸の記載は、少なくとも２つの記載、又は２つ以上の記載を意味する）。さらに、「Ａ、Ｂ、及びＣ等のうちの少なくとも１つ」、又は「Ａ、Ｂ、及びＣ等のうちの１つ以上の」に類する表記が用いられる場合においては、一般にそのような構文は、Ａだけを、Ｂだけを、Ｃだけを、Ａ及びＢを共に、Ａ及びＣを共に、Ｂ及びＣを共に、又はＡ、Ｂ、及びＣを共に、等のように含むよう意図されている。
【００９５】
さらに、２つ以上の代替の語を提示する任意の選言的な語又は句は、明細書、特許請求の範囲、又は図面のどこにおいてであろうとも、その語のうちの１つ、その語のうちのいずれか、又は両方の語を含む可能性を想定するものと理解されるべきである。例えば、「Ａ又はＢ」という句は、「Ａ」又は「Ｂ」又は「Ａ及びＢ」の可能性を含むと理解されるべきである。
【００９６】
しかし、そのような句の使用は、仮に同じクレームが「１つ以上の」又は「少なくとも１つの」という導入句及び「ａ」又は「ａｎ」のような不定冠詞を含むときであっても、不定冠詞「ａ」又は「ａｎ」によるクレームの記載の導入が、そのように導入されたクレームの記載を含む任意の特定のクレームが、そのような記載を１つだけしか含まないように限定することを示唆すると解釈されるべきではない（例えば「ａ」及び／又は「ａｎ」は、「少なくとも１つの」又は「１つ以上の」を意味すると解釈されるべきである）。同じことが、クレームの記載を導入するのに用いられる定冠詞の使用についてもあてはまる。
【００９７】
追加として、「第１」、「第２」、「第３」等の語の使用は、要素の具体的な順序又は個数を示唆するようには必ずしもここでは用いられていない。一般に、「第１」、「第２」、「第３」等の語は、一般的な識別子として異なる要素を区別するのに用いられる。「第１」、「第２」、「第３」等が具体的な順序を示唆するという証拠が存在しない限り、これら語は、具体的な順序を示唆しないと理解されるべきである。さらに、「第１」、「第２」、「第３」等の語が特定の個数を示唆するという証拠が存在しない限り、これら語は、要素の具体的な個数を示唆すると理解されるべきではない。例えば、第１装置は、第１側面を有するように記載され得て、第２装置は、第２側面を有するように記載され得る。第２装置についての「第２側面」という語の使用は、第２装置のそのような側面を、第１装置の「第１側面」と区別するためになされることかもしれず、第２装置が２つの側面を有することを示唆しない。
【００９８】
本開示で記載された全ての例及び条件的文言は、読者が、技術の発展のために本発明者によって寄与された本発明及び概念を理解するのを助ける教育目的が意図されており、そのような具体的に記載された例及び条件に対する限定がないように解釈されるべきである。本開示の実施形態は、詳細に説明されてきたが、本開示の精神及び範囲から逸脱することなく、さまざまな変更、置換、及び改変がそれらになされ得ることが理解されるべきである。
【図１】
2021511116.tif 000003
【図２】
2021511116.tif 000004
【図３】
2021511116.tif 000005
【図４】
2021511116.tif 000006
【図５】
2021511116.tif 000007
【図６】
2021511116.tif 000008
【図７】
2021511116.tif 000009
【図８】
2021511116.tif 000010
【国際調査報告】
2021511116.tif 000011
2021511116.tif 000012